(57)【特許請求の範囲】
【請求項１】
バッテリを収容する収容凹部を内部に有する箱体と、該箱体に設けられ前記収容凹部への前記バッテリの出し入れを可能にする開口と、該開口を開閉自在にすべく一端を中心に回動自在に設けられた回動蓋と、を備えた携帯型端末装置であって、
前記回動蓋の近傍に、前記回動蓋の開成方向への回動を阻止すべく前記回動蓋と当接して前記回動蓋を閉状態にロックするロック部材を設け、
該ロック部材は、前記箱体の表面板側に設けた凹部に埋没して格納され前記回動蓋と当接して前記回動蓋を閉状態にロックする第１位置と、前記当接を解除して前記回動蓋の回動を可能にする第２位置との間で移動自在であることを特徴とする携帯型端末装置。
【請求項２】
前記箱体は前記表面板及びその四方に連続するように形成された側面板を一体に備えて構成され、前記側面板に前記開口が設けられ、前記開口の上部に前記表面板側及び前記側面板側の２方向が開放された前記凹部が設けられ、該凹部の相対向する内壁に前記回動蓋が回動自在に軸支され、更に、前記回動蓋のロック状態においては、前記回動蓋は前記箱体に埋没していることを特徴とする請求項１記載の携帯型端末装置。
【請求項３】
前記ロック部材は、前記凹部に出没自在なように、該凹部の相対向する内壁に前記回動蓋の回動中心軸と平行な回動中心軸を有するよう回動自在に軸支され、該ロック部材が前記凹部に埋没した位置を前記第１位置とし、該ロック部材が前記凹部から脱出した位置を前記第２位置とすることを特徴とする請求項２記載の携帯型端末装置。
【請求項４】
前記ロック部材は、前記凹部に出没自在なように、該凹部の奥部の一側の内壁に前記回動蓋の回動中心軸と直角をなす回動中心軸を有するよう回動自在に軸支され、該ロック部材が前記凹部に埋没した位置を前記第１位置とし、該ロック部材が前記凹部から脱出した位置を前記第２位置とすることを特徴とする請求項２記載の携帯型端末装置。
【請求項５】
前記ロック部材の下面にパッキンが設けられ、前記ロック部材が前記第１位置にある時に前記凹部が前記パッキンによって密封されることを特徴とする請求項４記載の携帯型端末装置。
【請求項６】
前記ロック部材は、前記回動蓋の回動中心軸に平行な方向に摺動自在に案内される摺動片であり、該摺動片が前記回動蓋と当接すべく前記凹部の中央寄りへ案内された位置を前記第１位置とし、前記回動蓋との当接位置から離れて前記凹部の外側寄りへ案内された位置を前記第２位置とすることを特徴とする請求項１記載の携帯型端末装置。
【請求項７】
前記摺動片には前記表面板に前記凹部から連続して設けられた貫通孔を介して前記収容凹部へ突出する補強板が一体に設けられ、前記摺動片が前記第１位置にある時には、前記回動蓋と当接して前記回動蓋を前記閉状態にロックすると共に、前記補強板が前記バッテリと当接して前記収容凹部からの前記バッテリの脱出を阻止し、前記摺動片が前記第２位置にある時には、前記回動蓋との当接を解除して前記回動蓋の回動を可能にすると共に、前記補強板が前記バッテリと当接する位置から退避して前記収容凹部からの前記バッテリの脱出を可能にすることを特徴とする請求項６記載の携帯型端末装置。
【請求項８】
バッテリを収容する収容凹部を内部に有する箱体と、該箱体に設けられ前記収容凹部への前記バッテリの出し入れを可能にする開口と、該開口を開閉自在にすべく一端を中心に回動自在に設けられた回動蓋と、を備えた携帯型端末装置であって、
前記箱体に設けられた、前記収容凹部へ貫通する貫通孔と、
該貫通孔によって、前記回動蓋の回動中心軸に平行な方向に摺動自在に案内される摺動片、及び該摺動片に一体に設けられ前記貫通孔を介して前記収容凹部へ突出する補強板を有し、前記貫通孔に埋没したロック部材と、を備え、
該ロック部材は、前記補強板が前記バッテリと当接して前記収容凹部からの前記バッテリの脱出を阻止する第１の位置と、前記補強板が前記バッテリと当接する位置から退避して前記収容凹部からの前記バッテリの脱出を可能にする第２の位置とをとり得ることを特徴とする携帯型端末装置。
【発明の詳細な説明】
【０００１】
【発明の属する技術分野】
本発明は、バッテリを収納して固定する携帯型端末装置に関する。
【０００２】
【従来の技術】
図１８は、従来の回動蓋の開閉構造を説明するための図で、同図（ａ）に示したように、箱体としての装置筐体３１は表面板３２及び側面板３３、底面板３４を備えて構成されている。また、装置筐体３１には、側面板３３側（側面側）の一側に開口が設けられ、同開口の内部にはバッテリ３５を収容するバッテリ収容部３６が設けられている。そして、前記開口には、同開口の蓋をするための回動蓋としてのバッテリカバー３７が取り付けられている。このバッテリカバー３７は板部で構成され、同板部の上端には軸穴３８が形成されている。一方、表面板３２の凹部３９には、同凹部３９の相対する一対の内壁（内壁４０及びこれに相対する内壁）には、回転用軸穴３８に対応する位置にそれぞれ支軸（図示せず）が設けられており、この支軸を軸穴３８に挿入することにより、バッテリカバー３７が回動自在に装置筐体３１に支持されている。尚、バッテリカバー３７の下端には係止爪４１が形成され、装置筐体３１の底面板３４には前記係止爪４１に相対峙するようにして係止爪受け部４２が設けられ、バッテリカバー３７の板部の下端部を外側から押圧するようにして係止爪受け部４２に係止爪４１を嵌入し、これによって係止爪受け部４２に係止爪４１を係止すれば、バッテリカバー３７を装置筐体３１にロックすることができるように構成されている。また、バッテリ収容部３６の底面板３４の係止爪受け部４２の近傍を外側から押圧しながらバッテリカバー３７の下端を外側に引けば係止爪４１を係止爪受け部４２から抜去することができ、これによってバッテリカバー３７のロックが解除され、バッテリカバー３７を開けることができるように構成されている。
【０００３】
【発明が解決しようとする課題】
しかしながら、このような従来の回動蓋としてのバッテリカバーの開閉構造によれば、バッテリ収容部３６にバッテリ３５が収容されていて、且つ、バッテリカバー３７をロックした状態において、運用時に同図（ｂ）に示したように、例えば、誤った操作によりバッテリカバーを開けてしまったり、あるいは、例えば、装置筐体３１の落下等によって、該装置筐体３１に外部からの衝撃が加えられ、前記バッテリ３５がバッテリカバー３６を内側から押圧し、バッテリ３５の重量によって係止爪４１の係止が解かれてバッテリカバー３７が開くことがある。
【０００４】
このような場合にバッテリ３５が装置筐体３１から抜去され、例えば、装置筐体３１に搭載されているメモリ等のバッテリバックアップが解かれ、同メモリのデータが破壊されてしまうという問題を有していた。また、このような事態において、前述した衝撃によってバッテリカバー３７や係止爪４１が破損してしまうという問題を有していた。
【０００５】
本発明はこのような問題点に鑑みてなされたものであり、その目的とするところは、装置筐体に対して衝撃等が加わった場合であっても回動蓋としてのバッテリカバーが容易に開かないようにすることにより、メモリのデータが破壊されることがなく、また、バッテリカバーの係止爪等が破損することのない信頼性の高い携帯型端末装置を提供することである。
【０００６】
本発明の携帯型端末装置は、請求項１に記載の通り、バッテリ１２を収容する収容凹部５を内部に有する箱体１と、該箱体１に設けられ前記収容凹部５への前記バッテリ１２の出し入れを可能にする開口７と、該開口７を開閉自在にすべく一端を中心に回動自在に設けられた回動蓋９と、を備えた携帯型端末装置であって、前記回動蓋９の近傍に、前記回動蓋９の開成方向への回動を阻止すべく前記回動蓋９と当接して前記回動蓋９を閉状態にロックするロック部材１０を設け、該ロック部材１０は、前記箱体１の表面板２側に設けた埋没溝に埋没して格納された状態で前記回動蓋９と当接して前記回動蓋９を閉状態にロックする第１位置と、前記当接を解除して前記回動蓋９の回動を可能にする第２位置との間で移動自在であることを特徴としている。
【０００７】
このような構成によれば、携帯機器の収容凹部５にバッテリ１２を収容した状態で回動蓋９を閉じ、ロック部材１０、１９、２７を上記第１位置に移動させれば、このロック部材が回動蓋９と当接して、回動蓋９が閉状態にロックされた状態となる。この状態で、例えば携帯機器の箱体１に外部から衝撃等が加わってバッテリ１２が外へ飛び出そうとしても、回動蓋９がロック部材１０、１９、２７によって確実にロックされているため、バッテリ１２は依然として収容凹部５内に収容されたままとなり、外へ飛び出してしまうような事態が回避される。一方、ロック部材１０、１９、２７を上記第２位置に移動させれば、回動蓋９との当接状態が解除されるので、回動蓋９を開いて、中のバッテリ１２を取り出すことが可能となる。
【０００８】
なお、上記課題は、請求項８に記載の携帯型端末装置によっても同様に解決される。この携帯型端末装置は、バッテリ１２を収容する収容凹部５を内部に有する箱体１と、該箱体１に設けられ前記収容凹部５への前記バッテリ１２の出し入れを可能にする開口７と、該開口７を開閉自在にすべく一端を中心に回動自在に設けられた回動蓋９と、を備えた携帯型端末装置であって、前記箱体１に前記凹部８から連続して設けられた、前記収容凹部５へ貫通する貫通溝２６を有し、前記箱体１の表面板２側に位置する埋没溝と、該埋没溝によって、前記回動蓋９の回動中心軸に平行な方向に摺動自在に案内される摺動片２３、及び該摺動片２３に一体に設けられ前記貫通溝２６を介して前記収容凹部５へ突出する補強板２５を有し、前記埋没溝に埋没したロック部材と、を備え、該ロック部材は、前記補強板２５が前記バッテリ１２と当接して前記収容凹部５からの前記バッテリ１２の脱出を阻止する第１の位置と、前記補強板２５が前記バッテリ１２と当接する位置から退避して前記収容凹部５からの前記バッテリ１２の脱出を可能にする第２の位置とをとり得ることを特徴としている。
【０００９】
このような構成によれば、携帯機器の収容凹部５にバッテリ１２を収容した状態で回動蓋９を閉じ、摺動片２３を上記第１位置に移動させれば、この摺動片２３に一体に設けられた補強板２５が回動蓋９と当接して、収容凹部５からのバッテリ１２の脱出が阻止された状態となる。この状態で、例えば携帯機器の箱体１に外部から衝撃等が加わってバッテリ１２が外へ飛び出そうとしても、バッテリ１２の脱出しようとする動きが補強板２５によって確実に阻止されるため、バッテリ１２が回動蓋９に突き当たることもなく、バッテリ１２は依然として収容凹部５内に収容されたままとなり、外へ飛び出してしまうような事態が回避される。一方、摺動片２３を上記第２位置に移動させれば、補強板２５のバッテリ１２との当接状態が解除されるので、回動蓋９を開いて、中のバッテリ１２を取り出すことが可能となる。
【００１０】
【発明の実施の形態】
以下本発明による回動蓋のロック装置の実施例を図面に基づいて詳細に説明する。
【００１１】
図１は本発明の第１の実施例の全体を示す斜視図である。図２は同じく要部構成を示す図であり、（ａ）は回動蓋のロック装置としてのバッテリロックの斜視図、（ｂ）は箱体としての装置筐体のバッテリロック取付部とその周辺部の斜視図である。図３は同じく要部構成を示す図であり、（ａ）は装置筐体のバッテリロックとその周辺部分の断面図、（ｂ）はバッテリロックの側面図である。図４は同じくバッテリロックの動作を説明するための図である。まず、図１を参照する。同図は携帯用端末装置の外観を示している。１は箱体としての装置筐体で、同装置筐体１は、表面板２及びその四方に連続するように形成された側面板３と底面板４を一体的に備えて構成されている。同装置筐体の内部には収容凹部としてのバッテリ収容部５及び電子回路等が収容される電装箱６が設けられている。収容凹部としてのバッテリ収容部５の側面板３にはバッテリ挿入口７が開設されており、同バッテリ挿入口７の上側の表面板２には凹部８が形成され、同凹部８には前記バッテリ挿入口７を閉塞する開閉可能な回動蓋としてのバッテリカバー９と、同バッテリカバー９を閉じた状態で固定する回動蓋のロック装置としてのバッテリロック１０が取り付けられている。凹部８は、図２（ｂ）及び図３（ａ）に示すように、内壁１１、１１にバッテリカバー９を軸支する支軸１１ａ、１１ａと、前記内壁１１、１１に連続する相対向する内壁の奥部にバッテリロック１０を軸支する支軸１１ｂ、１１ｂが設けられている。バッテリカバー９の板部９ａの上端の左右には、回転用軸穴９ｂ、９ｂが設けられ、この回転用軸穴９ｂ、９ｂに前記内壁１１、１１の支軸１１ａ、１１ａを挿入することにより、バッテリカバー９が回動自在に装置筐体１に軸支されている。
【００１２】
尚、バッテリカバー９の板部９ａの下端には前記挿入口７に面して係止爪９ｃが設けられており、この係止爪９ｃに対応するように底面板４には係止爪受け部４ａが設けられ係止爪受け部４ａに係止爪９ｃを係止することによって、バッテリカバー９を閉じた状態でロックするともに、このバッテリカバー９によってバッテリ１２がバッテリ収容部５に固定される。
【００１３】
一方、バッテリロック１０は、図２（ａ）及び図３（ｂ）に示されるように、板部１０ａで構成され、同板部１０ａの両側面には前記支軸１１ｂ、１１ｂを嵌入して、該板部１０ａを回動可能とする軸穴１０ｂ、１０ｂが形成され、バッテリロック１０を凹部８に出没自在とするように構成されている。
【００１４】
ついで、図４を参照して、バッテリロック１０の動作について説明する。先ず、同図（ａ）に示すように、バッテリカバー９を閉じ、さらにバッテリロック１０の該バッテリカバー９に対面する側を押下して凹部８に嵌入すると、バッテリロック１０の板部１０ａがバッテリカバー９の上端９ｄに当接する。
【００１５】
この状態で装置筐体１に外方から衝撃力等が加わると支軸１１ａ、１１ａを中心にバッテリカバー９が回動しようとする。ところが、前記支軸１１ａ、１１ａの反対側にはバッテリロック１０の板部１０ａがバッテリカバー９の上端９ｄに当接しているために、このバッテリロック１０の板部１０ａが支軸１１ａ、１１ａの反対側から前記衝撃力を打ち消す方向にバッテリカバー９を押すためバッテリカバー９は開かない。これに対し、バッテリカバー９を開ける必要がある場合は、同図（ｂ）のように、先ず、バッテリロック１０の板部１０ａの先端を軸穴１０ｂを中心に上方に引き上げ、バッテリロック１０の板部１０ａのバッテリカバー９の上端９ｄに対面する側が該バッテリカバー９の上端９ｄと当接しないようにする。この状態で底面板４の係止爪受け部４ａの近傍を外側から押圧すれば係止爪９ｃが係止爪受け部４ａから解除されバッテリカバー９を開けることができるようになる。このようにして、外方からの衝撃等によっては容易に開かず、ユーザの希望に応じてバッテリカバー９を自由に開閉することができる携帯端末装置が提供される。尚、バッテリカバー９を軸支する支軸１１ａ、１１ａをバッテリカバー９側に設け、回転用軸穴９ｂ、９ｂを内壁１１、１１側に設けるようにしてもよい。また、バッテリロック１０を軸支する支軸１１ｂ、１１ｂをバッテリロック１０側に設け、回転用軸穴１０ｂ、１０ｂを内壁１１、１１側に設けるようにしてもよい。
【００１６】
図５は本発明による第２の実施例を説明する図で、同図において板部１０ａの中央部にコ字状のキリコミ１０ｃが形成されている。また、同キリコミ１０ｃの奥部は下方に向かって奥側に傾斜するようになっている。このようにバッテリロック１０を構成したので、キリコミ１０ｃに指先等を挿入すればバッテリロック１０は容易に凹部８から抜き出すことができるようになり便利である。
【００１７】
図６は本発明による第３の実施例を説明する図で、同図（ａ）、（ｂ）において内壁１１、１１に連続する相対向する内壁の奥部にバッテリロック１０を軸支する支軸１１ｂ、１１ｂが設けられている。一方、バッテリロック１０の板部１０ａの両側面のそれぞれの中央部には前記支軸１１ｂ、１１ｂを嵌入して、該板部１０ａを回動可能とする軸穴１０ｂ、１０ｂが形成されている。上記のように構成したので、バッテリロック１０は支軸１１ｂ、１１ｂを中心にシーソ状に回動することができ、これによって該バッテリロック１０の前方または後方を押下すれば同バッテリロックを容易に回動させることができるようになる。
【００１８】
図７、８、９、１０、１１、１２は本発明による第４の実施例を説明する図で、図７は、全体を示す斜視図である。図８、９は、同じく要部構成を示す図であり、図１０、１１、１２は、同じくバッテリロックの動作を説明するための図である。まず、図７を参照する。同図は携帯用端末装置の外観を示している。バッテリ挿入口７の上側の表面板２には凹部８が形成され、同凹部８には前記バッテリ挿入口７を閉塞する開閉可能なバッテリカバー９と、同バッテリカバー９を固定するバッテリロック１９が設けられている。凹部８は、図８（ｂ）及び図９（ａ）に示されているように、内壁１１、１１にはバッテリカバー９を軸支する支軸１１ａ、１１ａと、同支軸１１ａと直角となる方向にバッテリロック１９を軸支する支軸２０が設けられている。また、バッテリカバー９の板部９ａの上端の左右には、回転用軸穴９ｂ、９ｂが設けられている。この回転用軸穴９ｂ、９ｂに支軸１１ａ、１１ａを挿入することにより、バッテリカバー９が回動自在に装置筐体１に軸支されている。バッテリロック１９は、図８（ａ）及び図９（ｂ）、（ｃ）、（ｄ）に示されているように、板部１９ａで構成され、該板部１９ａの一側の幅が狭く形成されている部分には軸穴１９ｂが形成され、板部１９ａの他側の幅は略凹部８の幅と同程度に広く形成されている。また、バッテリロック１９は前記軸穴１９ｂに支軸２０を挿入し、同支軸２０の側とは反対側を押圧すれば僅かな力で大きな押圧力を生じさせることができるように振込式となっている。
【００１９】
ついで、図１０、図１１、図１２を参照して、バッテリロック１９の動作について説明する。先ず、図１０に示されているように、バッテリカバー９を閉じ、さらにバッテリロック１９を凹部８内に嵌入すると、バッテリロック１９の板部１９ａがバッテリカバー９の上端９ｄに当接する。この状態において、バッテリカバー９を開けようとする衝撃力等が板部９ａに加わった場合に、軸穴９ｂの反対側から前記バッテリロック１９の板部１９ａが該衝撃力を打ち消すのでバッテリカバー９は開かないようにすることができる。一方、バッテリカバー９を開ける必要がある場合は、図１１、図１２に示したたように、バッテリロック１９の板部１９ａを軸穴１９ｂを中心に回動させる。  板部１９ａに軸穴１９ｂが形成されている側は、その幅が他側の幅より狭く形成され、常にバッテリカバー９の上端９ｄと当接しないようになっているので、回動によって板部１９ａの全体がバッテリカバー９の上端９ｄと当接しないようになり、バッテリカバー９を開けることが可能になる。このようにして、ユーザの希望に応じてバッテリカバー９を自由に開閉することができる携帯端末装置が提供される。尚、バッテリロック１９を軸支する支軸２０をバッテリロック１９側に設け、回転用軸穴１９ｂを内壁１１側に設けるようにしても良い。
【００２０】
図１３は、本発明の第５の実施例を示し、同図において、バッテリロック１９の板部１９ａの下面には、バッテリロック１９と平行になるように補強板２１が設けられている。従って、外部から衝撃が加わることによってバッテリ１２が装置筐体１から抜け出そうとしても、バッテリ１２がバッテリカバー９に達する前に補強板２１の当接部２１ａがバッテリ１２の端部に当接し、バッテリ１２の抜け出しを防止するように働く。
【００２１】
図１４は、本発明の第６の実施例を示し、同図においてバッテリロック１９の板部１９ａの下面にパッキン２２が設けられている。バッテリロック１９は振込式となっているため、支軸２０に軸支されている側の反対側を押圧すれば僅かな力によって大きな押圧力を生じ、この大きな押圧力によってパッキン２２を凹部８に嵌入することが可能になる。このようにして凹部８はパッキン２２によって密封され、装置筐体１の内部の機密性が向上し、防滴性能の高い携帯端末装置を提供することができる。
【００２２】
図１５は、本発明の第７の実施例を示し、同図において板部１９ａの軸穴１９ｂの反対側の先端部にはコ字状のキリコミ１９ｃが形成され、同キリコミ１９ｃの奥部は下方に向かうにしたがって軸穴１９ｂ側に傾斜するようになっている。このように構成したので、このキリコミ１９ｃに上方から指先等を挿入することによって該バッテリロック１９を容易に凹部８から抜去することが可能となる。
【００２３】
図１６は、本発明の第８の実施例を示し、同図（ａ）において、バッテリロックは断面が略Ｔ字状の摺動片２３から構成され、この摺動片２３の上部２４の上面にはカマボコ状の突起２４ａが形成され、その下部には前記上部２４と連続するように垂下し、且つ、下側が上側よりも狭くなるように扇状に形成された補強板２５が一体に設けられている。また、同図（ｂ）に示したように、表面板２には、バッテリカバー９と並行に前記摺動片２３を挿入するための断面がＴ字状の貫通孔２６が形成されている。このように形成された貫通孔２６に前記摺動片２３を挿入し、前記摺動片２３を互いに接近させるようにして、開口７の内側に移動させると、摺動片２３によって開口７の両側が閉塞されるのでバッテリ１２がバッテリ収容部５から抜け出すのを防止することができる。さらに、同図（ｃ）に示したように、それぞれの摺動片２３が互いに遠ざかるように（矢印Ａ、Ｂの方向に）して開口７の外側に摺動させるとともに、バッテリカバー９を矢印Ｃのように開くとバッテリ１２を矢印Ｄの方向にバッテリ収容部５に出没自在とすることができる。
【００２４】
尚、摺動片２３の上部２４の表面に形成されているカマボコ状の突起２４ａは、摺動片２３を摺動するに際に指先当のスベリを防止するためのものである。
図１７は、本発明の第９の実施例の要部構成を示し、同図（ａ）において、バッテリロックは断面が略Ｔ字状の摺動片２７から構成され、この摺動片２７の上部２８は略Ｌ字状に形成されている。また、下部には前記上部２８と連続し、且つ、該上部２８と直角をなすようにして垂下するともに、下側が上側よりも狭くなるように扇状に形成された補強板２９が一体に設けられている。また、同図（ｂ）に示したように、表面板２には、バッテリカバー９と並行に前記摺動片２７を挿入するための断面がＴ字状の貫通孔３０が形成されている。このように形成された貫通孔３０に前記摺動片２７を挿入し、前記摺動片２７を互いに接近させるようにして、開口７の内側に移動させると開口７の両側が閉塞されるのでバッテリ１２がバッテリ収容部５から抜け出すのを防止することができる。さらに、この状態で装置筐体１に外方から衝撃力等が加わると支軸１１ａ、１１ａを中心にをバッテリカバー９が回動しようとする。ところが、この場合貫通孔３０の上部の一側は表面板２の凹部８と連続する部分に当接しているので、この摺動片２７の上部２８が支軸１１ａ、１１ａの反対側から前記該衝撃力を打ち消す方向にバッテリカバー９を押すためバッテリカバー９を開かないようにすることができる。さらに、同図（ｃ）に示したように、それぞれの摺動片２７が互いに（矢印Ｅ、Ｆの方向に）遠ざかるようにして開口７の外側に摺動させるとともに、バッテリカバー９を矢印Ｇの方向に開くとバッテリ１２を矢印Ｈの方向にバッテリ収容部５に出没自在とすることができる。
【００２５】
【発明の効果】
本発明によれば、外部からの衝撃が加わった場合でも回動蓋としてのバッテリカバーが開かないので、該バッテリカバーの係止爪等の破損を防止することができ、構造的に優れた筐体構造を得ることができる。また、装置筐体からバッテリが外れることがなくなるので、該バッテリのバックアップが完全なものになり、メモリに保存したデータの信頼性が向上する。さらに、バッテリロックに設けたパッキンによって装置筐体の機密性が向上するので防滴構造の優れた携帯用端末装置を提供することができる等、その効果は多大なものがある。
【図面の簡単な説明】
【図１】本発明による第１の実施例の全体を示す斜視図である。
【図２】本発明による第１の実施例の要部構成を示す図であり、（ａ）はバッテリロックの詳細を示す斜視図、（ｂ）は装置筐体のバッテリロック取付部とその周辺部の斜視図ある。
【図３】本発明による第１の実施例の要部構成を示す図であり、（ａ）は装置筐体のバッテリロック取付部とその周辺部の断面図で、（ｂ）はバッテリロックの側面図である。
【図４】本発明による第１の実施例におけるバッテリカバーの開閉動作を説明するための図であり、（ａ）はバッテリロックが閉じた状態の断面図、（ｂ）はバッテリロックが開いた状態を示す断面図である。
【図５】本発明による第２の実施例のバッテリロックの斜視図である。
【図６】本発明による第３の実施例の要部構成を示す図で、（ａ）はバッテリロックの斜視図、（ｂ）は装置筐体のバッテリロック取付部とその周辺部の斜視図である。
【図７】本発明による第４の実施例の全体を示す斜視図である。
【図８】本発明による第４の実施例の要部構成を示す図で、（ａ）はバッテリロックの斜視図、（ｂ）は装置筐体のバッテリロック取付部とその周辺部の斜視図である。
【図９】本発明による第４の実施例の要部構成を示す図で、（ａ）は装置筐体のバッテリロックとその周辺部の断面図、（ｂ）はバッテリロックを縦方向から見た側面図、（ｃ）はバッテリロックを横方向から見た正面図、（ｄ）はバッテリロックの上面図である。
【図１０】本発明による第４の実施例のバッテリロックが閉じている状態の斜視図である。
【図１１】本発明による第４の実施例のバッテリロックが開いている状態の斜視図である。
【図１２】本発明による第４の実施例のバッテリロックが開いている状態の断面図である。
【図１３】本発明によるバッテリロックの第５の実施例で、（ａ）はバッテリロックを横方向から見た正面図、（ｂ）はバッテリロックを縦方向から見た側面図である。
【図１４】本発明によるバッテリロックの第６の実施例の横方向から見た断面図である。
【図１５】本発明によるバッテリロックの第７の実施例の斜視図である。
【図１６】本発明によるバッテリロックの第８の実施例で、（ａ）はバッテリロックの斜視図、（ｂ）、（ｃ）は装置筐体のバッテリロック取付部とその周辺部の斜視図である。
【図１７】本発明によるバッテリロックの第９の実施例の図で、（ａ）はバッテリロックの斜視図、（ｂ）、（ｃ）は装置筐体のバッテリロック取付部とその周辺部の斜視図である。
【図１８】従来の回動蓋の動作を説明する断面図である。
【符号の説明】
１      箱体
２      表面板
３      側面板
４      底面板
５      収容凹部
６      電装箱
７      開口
８      凹部
９      回動蓋
１０      ロック装置
１１      内壁
１１ａ      支軸
１１ｂ      支軸
【図１】
0003923119.tif 000002
【図２】
0003923119.tif 000003
【図３】
0003923119.tif 000004
【図４】
0003923119.tif 000005
【図５】
0003923119.tif 000006
【図６】
0003923119.tif 000007
【図７】
0003923119.tif 000008
【図８】
0003923119.tif 000009
【図９】
0003923119.tif 000010
【図１０】
0003923119.tif 000011
【図１１】
0003923119.tif 000012
【図１２】
0003923119.tif 000013
【図１３】
0003923119.tif 000014
【図１４】
0003923119.tif 000015
【図１５】
0003923119.tif 000016
【図１６】
0003923119.tif 000017
【図１７】
0003923119.tif 000018
【図１８】
0003923119.tif 000019